(57)【要約】【課題】ＯＮＵが動作不能状態に近い時に、ＯＮＵはＯＬＴにダイイングギャスプを送信する。このときＯＬＴはこのＯＮＵとのリンクを切断するので、ＯＮＵは高優先度なデータを有していてもダイイングギャスプ送信後はＯＬＴに送信できなかった。【解決手段】ＯＮＵは自身が動作不能となる状態が近いことを検知すると、ＯＬＴに対してダイイングギャスプを送信するとともに送信帯域要求を送信する。これを受けたＯＬＴは、このＯＮＵに最優先の送信帯域を割り当てる。ＯＮＵはこの送信帯域を使用して高優先度のデータを送信する。【選択図】      図２
2008283536.tif 000002
【特許請求の範囲】
【請求項１】
動作不能となる状態が近いことを検知するダイイングギャスプ要因検知回路と、
前記ダイイングギャスプ要因検知回路が動作不能となる状態が近いことを検知したときにその旨を伝える第１の信号を送信し、前記第１の信号を送信する際に上り回線の送信帯域要求を送信し、前記要求した送信帯域が割り当てられた際に高優先度のデータをこの帯域を使用して送信する送信部と、
を有する加入者端末と、
前記第１の信号および前記上り回線の送信帯域要求を受信した際に前記第１の信号を送信した加入者端末に最優先の送信帯域を割り当てるＯＬＴ制御部を有する局側装置と、
を有することを特徴とする通信システム。
【請求項２】
前記上り回線の送信帯域要求が、前記第１の信号の送信後に送信されることを特徴とする請求項１記載の通信システム。
【請求項３】
前記上り回線の送信帯域要求が、前記第１の信号の送信と同時に送信されることを特徴とする請求項１記載の通信システム。
【請求項４】
前記高優先度のデータが加入者端末の高優先度キューに格納されることを特徴とする請求項１から３のいずれか一の請求項に記載の通信システム。
【請求項５】
データの識別情報に基づいて、データが高優先度データであるか否かを判断することを特徴とする請求項１から４のいずれか一の請求項に記載の通信システム。
【請求項６】
動作不能となる状態が近いことを検知するダイイングギャスプ要因検知回路と、
前記ダイイングギャスプ要因検知回路が動作不能となる状態が近いことを検知したときにその旨を伝える第１の信号を送信し、前記第１の信号を送信する際に上り回線の送信帯域要求を送信し、前記送信帯域要求に対して接続された局側装置で最優先の帯域が割り当てられた際にこの帯域を使用して高優先度のデータを送信する送信部と、
を有することを特徴とする加入者端末。
【請求項７】
接続された加入者端末の動作が不能となる状態が近いときに前記加入者端末からその旨を伝える第１の信号および上り回線の送信帯域要求を受信した際に前記第１の信号を送信した加入者端末に最優先の送信帯域を割り当てるＯＬＴ制御部を有することを特徴とする局側装置。
【請求項８】
動作不能となる状態が近いことを検知するダイイングギャスプ要因検知ステップと、
前記ダイイングギャスプ要因検知ステップで動作不能となる状態が近いことを検知したときにその旨を伝える第１の信号を送信するステップと、
前記第１の信号を送信する際に上り回線の送信帯域要求を送信するステップと、
前記第１の信号および前記上り回線の送信帯域要求を受信した際に前記第１の信号を送信した加入者端末に最優先の送信帯域を割り当てるステップと、
前記要求した送信帯域が割り当てられた際に高優先度のデータをこの帯域を使用して送信するステップと
を有することを特徴とする通信方法。
【請求項９】
前記上り回線の送信帯域要求が、前記第１の信号の送信後に送信されることを特徴とする請求項８記載の通信方法。
【請求項１０】
前記上り回線の送信帯域要求が、前記第１の信号の送信と同時に送信されることを特徴とする請求項８記載の通信方法。
【請求項１１】
前記高優先度のデータが加入者端末の高優先度キューに格納されていることを特徴とする請求項８から１０のいずれか一の請求項に記載の通信方法。
【請求項１２】
データの識別情報に基づいて、データが高優先度データであるか否かを判断することを特徴とする請求項８から１１のいずれか一の請求項に記載の通信方法。
【請求項１３】
動作不能となる状態が近いことを検知するダイイングギャスプ要因検知処理と、
前記ダイイングギャスプ要因検知処理において動作不能となる状態が近いことを検知したときにその旨を伝える第１の信号を送信し、前記第１の信号を送信する際に上り回線の送信帯域要求を送信し、前記送信帯域要求に対して接続された局側装置で最優先の帯域が割り当てられた際にこの帯域を使用して高優先度のデータを送信する送信処理と、
をコンピュータに実行させることを特徴とする加入者端末のプログラム。
【請求項１４】
接続された加入者端末の動作が不能となる状態が近いときに前記加入者端末からその旨を伝える第１の信号および上り回線の送信帯域要求を受信した際に前記第１の信号を送信した加入者端末に最優先の送信帯域を割り当てる処理をコンピュータに実行させることを特徴とする局側装置のプログラム。
【発明の詳細な説明】
【技術分野】
【０００１】
本発明は、通信システムに関し、特に、加入者端末から局側装置に対して、ダイイングギャスプおよび送信帯域割り当て要求が送られたときに、局側装置がこの加入者端末に最優先の帯域を割り当て、加入者端末はこの割り当てられた帯域を使用して高優先度データを送信する通信システムに関する。
【背景技術】
【０００２】
従来、１つの局側装置と複数の宅内伝送装置（加入者端末）が接続されたネットワークでは、宅内伝送装置が電源断などにより動作が不能となる状態が近いときに宅内伝送装置がダイイングギャスプ（ＤｙｉｎｇＧａｓｐ）を局側装置に送出する。このダイイングギャスプを受信した局側装置はダイイングギャスプを送出した宅内伝送装置が接続されているポートのリンクをダウンしていた。このような従来の技術が特許文献１に記載されている。
【０００３】
上記内容をタイムチャート図６を使用して説明する。
【０００４】
従来では、ＯＮＵにダイイングギャスプの要因が生じて、ＯＮＵからＯＬＴにダイイングギャスプが送信されたときは、ＯＬＴは当該ＯＮＵがまだ通信可能状態であっても当該ＯＮＵとの接続を切断する。そうすると、ダイイングギャスプ送出後は、ＯＮＵが緊急性の高い高優先度のデータを有している場合でも、そのデータをＯＬＴに送信することはできなくなる。その結果、緊急通報などのＯＮＵが動作不能になる前に送出することが望ましいデータについても破棄してしまっていた。
【０００５】
ここで、特許文献１における局側装置は本発明のOptical Line Terminal(ＯＬＴ)に相当し、特許文献１における宅内伝送装置は本発明のOptical Network Unit(ＯＮＵ)に相当する。
【０００６】
【特許文献１】特開２００４−０１５６４５号公報
【発明の開示】
【発明が解決しようとする課題】
【０００７】
上述した従来のダイイングギャスプを受信した局側装置では、ダイイングギャスプ受信後にダイイングギャスプを送出した宅内伝送装置とのリンクをダウン（ネットワークを切断）させていたため、宅内伝送装置がダイイングギャスプ送出後も内蔵バッテリ等を用いて動作が可能である場合であってもダイイングギャスプ送出後は一切のデータが局側装置に送出できなくなっていた。このため、ダイイングギャスプ送出時に緊急性の高い高優先度のデータが宅内伝送装置にあった場合であってもそのデータを送信できないという問題があった。
［発明の目的］
本発明の目的は、上述した従来の課題を解決する通信システム、加入者端末、局側装置、通信方法およびプログラムを提供することにある。
【課題を解決するための手段】
【０００８】
本発明の通信システムは、動作不能となる状態が近いことを検知するダイイングギャスプ要因検知回路と、前記ダイイングギャスプ要因検知回路が動作不能となる状態が近いことを検知したときにその旨を伝える第１の信号を送信し、前記第１の信号を送信する際に上り回線の送信帯域要求を送信し、前記要求した送信帯域が割り当てられた際に高優先度のデータをこの帯域を使用して送信する送信部と、を有する加入者端末と、前記第１の信号および前記上り回線の送信帯域要求を受信した際に前記第１の信号を送信した加入者端末に最優先の送信帯域を割り当てるＯＬＴ制御部を有する局側装置と、を有することを特徴とする。
【０００９】
本発明の加入者端末は、動作不能となる状態が近いことを検知するダイイングギャスプ要因検知回路と、前記ダイイングギャスプ要因検知回路が動作不能となる状態が近いことを検知したときにその旨を伝える第１の信号を送信し、前記第１の信号を送信する際に上り回線の送信帯域要求を送信し、前記送信帯域要求に対して接続された局側装置で最優先の帯域が割り当てられた際にこの帯域を使用して高優先度のデータを送信する送信部と、を有することを特徴とする。
【００１０】
本発明の局側装置は、接続された加入者端末の動作が不能となる状態が近いときに前記加入者端末からその旨を伝える第１の信号および上り回線の送信帯域要求を受信した際に前記第１の信号を送信した加入者端末に最優先の送信帯域を割り当てるＯＬＴ制御部を有することを特徴とする。
【００１１】
本発明の通信方法は、動作不能となる状態が近いことを検知するダイイングギャスプ要因検知ステップと、前記ダイイングギャスプ要因検知ステップで動作不能となる状態が近いことを検知したときにその旨を伝える第１の信号を送信するステップと、前記第１の信号を送信する際に上り回線の送信帯域要求を送信するステップと、前記第１の信号および前記上り回線の送信帯域要求を受信した際に前記第１の信号を送信した加入者端末に最優先の送信帯域を割り当てるステップと、前記要求した送信帯域が割り当てられた際に高優先度のデータをこの帯域を使用して送信するステップと、を有することを特徴とする。
【００１２】
本発明の加入者端末のプログラムは、動作不能となる状態が近いことを検知するダイイングギャスプ要因検知処理と、前記ダイイングギャスプ要因検知処理において動作不能となる状態が近いことを検知したときにその旨を伝える第１の信号を送信し、前記第１の信号を送信する際に上り回線の送信帯域要求を送信し、前記送信帯域要求に対して接続された局側装置で最優先の帯域が割り当てられた際にこの帯域を使用して高優先度のデータを送信する送信処理と、をコンピュータに実行させることを特徴とする。
【００１３】
本発明の局側装置のプログラムは、接続された加入者端末の動作が不能となる状態が近いときに前記加入者端末からその旨を伝える第１の信号および上り回線の送信帯域要求を受信した際に前記第１の信号を送信した加入者端末に最優先の送信帯域を割り当てる処理をコンピュータに実行させることを特徴とする。
【発明の効果】
【００１４】
本発明では、加入者端末が動作不能となる状態が近いことを検知すると、局側装置に対してその旨を伝える第１の信号と上り回線の送信帯域要求を送信して、局側装置では、この送信帯域要求を送信した加入者端末に対して最優先の送信帯域を割り当て、加入者端末はこの帯域を使用して高優先度のデータを局側装置に送信している。従って、本発明では、加入者端末が動作不能となる状態が近いことを伝える第１の信号が局側装置に送信された後であっても、加入者端末は高優先度なデータを局側装置に送信することが可能となるという効果を有している。
【発明を実施するための最良の形態】
【００１５】
本発明は、Passive Optical Network(ＰＯＮ)、特にGigabit Ethernet（登録商標）-Passive Optical Network(ＧＥ−ＰＯＮ)におけるダイイングギャスプ送出後の加入者端末Optical Network Unit(ＯＮＵ)および局側装置Optical Line Terminal(ＯＬＴ)間の信号の授受に関する発明である。
【００１６】
本発明の実施形態の説明に先立ち、まず、ＩＥＥＥ８０２．３ａｈの中で規定されている本発明に関わるダイイングギャスプについて簡単に説明する。
【００１７】
ＧＥ−ＰＯＮ規格ＩＥＥＥ８０２．３ａｈでは、以下に示す内容が規定されている。電源断などにより端末の動作が不能となる状態が近いときにＯＮＵからＯＬＴに送出されるダイイングギャスプはOperations, Administration, and Maintenance Protocol Data Units (OAMPDU)のＦｌａｇｓ  ｆｉｅｌｄで通知され、ＯＮＵからＯＬＴへ送るデータの中で最優先で送信される。ＯＮＵがＯＬＴの管理するＧＥ−ＰＯＮネットワークから外れる場合にはダイイングギャスプの送出を終えるまでＯＮＵは必ず動作を続けなくてはならない。
【００１８】
また、ＯＮＵ側の電源電圧低下に起因するダイイングギャスプの送信においてはコンデンサや電池などで一定時間の動作継続を保証するのが一般的である。
【００１９】
次に、本発明の第１の実施形態を図面を用いて説明する。
【００２０】
図１は、本発明の第１の実施形態の構成を示す図である。図１に示すように第１の実施の形態は、１本の光回線５２を複数の加入者端末で共有するＧＥ−ＰＯＮにおいて、センター局に設置するＯＬＴ３０と、加入者宅に設置するＯＮＵ２０、２１、２２と、ＩＥＥＥ８０２．３ａｈで規定された光通信が可能である光回線５０、５２等と、ＧＥ−ＰＯＮにおける複数の加入者端末のために回線を分岐させるカプラ４１とを有する構成である。ＯＮＵ２１とＯＮＵ２２は、カプラ４１で分岐接続されたＯＮＵ２０とは別の加入者端末である。
【００２１】
ＯＬＴ３０からカプラ４１を介してＯＮＵ２０、２１、２２に対して光回線５２、５０等を使用して送られる通信を下り方向の通信とする。また、ＯＬＴ３０が各ＯＮＵに上りの送信帯域を割り当てて、その割り当てられた帯域を使用してＯＮＵ２０、２１、２２からＯＬＴ３０に対して送られる通信を上り方向の通信とする。
【００２２】
ONU２０は、光回線５０とパーソナルコンピュータなどの通信端末４０と火災報知機などの緊急通報装置４５と接続可能であり、以下に示す各機能ブロックを有する。
【００２３】
ＯＮＵ２０は、ONU２０の動作を統括する制御部１と、光回線５０を接続可能な光接続部２と、通信端末４０と緊急通報装置４５とを接続可能なＬＡＮ接続部３と、ＬＡＮ接続部３を介して入力されたデータフレームを予め決められた規則に従い優先度が高いデータフレームと優先度が低いデータフレームとに分類する送信優先度分類部４と、優先度が高いデータフレームと低いデータフレームとに分類する条件を設定する優先条件設定部５と、送信優先度分類部４により低い優先度に分類されたデータフレームを送信するまで格納しておく低優先度キュー６と、送信優先度分類部４により高い優先度に分類されたデータフレームを送信するまで格納しておく高優先度キュー７と、ＧＥ−ＰＯＮのDynamic Bandwidth Allocation（ＤＢＡ）により動的に割り当てられた上り帯域に従って実際に送信するデータフレームを送信バッファ９に格納する送信割り当て制御部８と、動的に割り当てられた上り帯域を使用して送信することが確定したデータフレームを格納する送信バッファ９と、送信バッファ９に格納されたデータフレームを光接続部２を介してＯＬＴ３０に送信する送信部１０と、ＯＮＵ２０の電源電圧低下などのダイイングギャスプ(Dying Gasp)を送信する必要のある要因を検出するダイイングギャスプ要因検知回路１１と、光回線５０から光接続部２を介して下り方向データフレームを受信する受信部１２と、受信部１２によって受信したデータフレームからＯＮＵ２０に割り当てられた上り方向の帯域を抽出する受信解析部１３とを有する。
【００２４】
ＯＬＴ３０は、光回線５２とインターネットなどのネットワーク５１が接続可能であり以下に示す各機能ブロックを有する。
【００２５】
ＯＬＴ３０の動作を統括するＯＬＴ制御部３１と、光回線５２を接続可能なＯＬＴ光接続部３２と、ネットワーク５１を接続可能なＯＬＴネットワーク接続部３３と、光回線５２からＯＬＴ光接続部３２を介して上り方向データフレームを受信するＯＬＴ受信部３４と、ＯＬＴ受信部３４によって受信したデータフレームからＯＮＵからの帯域割り当て要求やダイイングギャスプに関する情報などの制御情報を抽出するＯＬＴ受信解析部３５と、各ＯＮＵ２０、２１、２２に割り当てられた上り送信帯域の状況を記憶するＯＬＴ送信帯域割り当てテーブル３６と、各ＯＮＵ２０、２１，２２についての上り送信帯域の割り当てを行うＯＬＴ送信制御部３７と、送信制御部３７からの帯域割り当て情報等の制御情報を光回線５２へ送出するＯＬＴ送信部３８とを有する。
【００２６】
以上詳細に第１の実施形態の構成を述べたが、ＩＥＥＥ８０２．３ａｈに規定されるＧＥ−ＰＯＮおよび動的に上り帯域の割り当てを行うＤＢＡは、当業者に良く知られており、また本発明との関係は薄いので、その詳細な説明は省略する。
【００２７】
次に、本発明の第１の実施形態の動作について図１から図４を用いて詳細に説明する。
【００２８】
図２は動作の概要を示すフローチャートである。
【００２９】
以下では、ＯＮＵ２０がダイイングギャスプを送信したときに、緊急性の高い緊急通報装置４５からのデータがＯＬＴ３０へ優先的に送信される動作について説明する。
【００３０】
前提として、優先条件設定部５の優先度分類条件では、通信端末４０からのデータを低い優先度と、緊急通報装置４５からのデータを高い優先度と設定されているものとする。また、ダイイングギャスプの発生要因は、ＯＮＵ２０の電源電圧低下であるものとする。
【００３１】
以下に第１の実施の形態の動作例を示す。
【００３２】
停電などによるＯＮＵ２０の電源電圧降下をダイイングギャスプ要因検知回路１１が検出する（ステップ１０１）と、制御部１は送信割り当て制御部８を介してＯＬＴ３０へダイイングギャスプを送信する（ステップ１０２）。
【００３３】
ダイイングギャスプ送信後、ＯＮＵ２０の制御部１は、高優先度キュー７に緊急通報装置４５からのデータが存在するかを確認する（ステップ１０３）。
【００３４】
高優先度キュー７にデータが無かった場合は（ステップ１０３でＮｏ）、ＯＮＵ２０はそのまま動作を停止させる（ステップ１０８）。
【００３５】
高優先度キュー７に緊急通報装置４５からのデータが存在した場合（ステップ１０３でＹｅｓ）、制御部1は、データ送信のためにＯＬＴ３０に上り方向の帯域割り当てを要求する（ステップ１０４）。
【００３６】
また、制御部１は、高優先度キュー７にあるデータを優先的に送出するために送信バッファ９にあるデータを廃棄し、高優先度キュー７のデータを送信バッファ９に格納する（ステップ１０５）。
【００３７】
ＯＬＴ３０のＯＬＴ受信解析部３５は、受信部３４で受けたＯＮＵ２０からのデータを解析する。ＯＬＴ受信解析部３５が、ＯＮＵ２０からのダイイングギャスプを検出すると（ステップ１０９でＹｅｓ）、ＯＬＴ制御部３１は、ＯＮＵ２０との接続を保持したままＯＮＵ２０から帯域割り当てが要求されるかを確認する（ステップ１１０）。
【００３８】
ＯＮＵ２０から帯域割り当て要求がなかった場合（ステップ１１０でＮｏ）、ＯＬＴ制御部３１は、ＯＮＵ２０をリンクから切断する（ステップ１１４）。
【００３９】
ＯＮＵ２０から帯域割り当て要求があった場合（ステップ１１０でＹｅｓ）、ＯＬＴ制御部３１は、ＯＬＴ送信帯域割り当てテーブル３６に記憶されている上り方向に割り当てられた帯域の中で最も早い時間にＯＮＵ２０からのデータ送出が可能となるように帯域(時間)の割り当てを組み換える。
【００４０】
その組み換えられた帯域割り当て情報をＯＬＴ送信制御部３７を介してＯＮＵ２０へ通知する（ステップ１１１）。
【００４１】
ここで、送信帯域割り当てテーブル３６の帯域割り当ての組み換え例について図３を用いて説明する。
【００４２】
図３の上図は、ＯＬＴ送信帯域割り当てテーブル３６の通常時の帯域割り当ての一例を示している。この状態(図３上図)では、ＯＮＵ２０はＯＮＵ２２とＯＮＵ２１のデータ送信後にしかデータを送信できない。このため、このままではＯＮＵ２０の送信割り当て帯域(時間)まで長い時間を要するため、ＯＮＵ２０がデータを送出する前に動作不能状態に陥る可能性がある。
【００４３】
これを回避するために、ＯＬＴ３０のＯＬＴ制御部１は、ＯＮＵ２０が最も早く送信可能となるようにＯＬＴ送信帯域割り当てテーブル３６の組み換えを行う(図３下図)。この組み換えが行われた後のＯＬＴ送信帯域割り当てテーブル３６の状態を図３の下図に示す。
【００４４】
ここで再び図２のフローチャートの説明に戻る。
【００４５】
ＯＮＵ２０の制御部１は、ＯＬＴ３０から送信帯域が割り当てられると（ステップ１０６でＹｅｓ）、指定された帯域(時間)に送信バッファ９に格納していた緊急通報装置４５からのデータを送出する（ステップ１０７）。
【００４６】
ＯＬＴ３０は、ＯＮＵ２０よりデータを受信するとＯＬＴネットワーク接続部３３を介してネットワーク５１にこのデータを送信し（ステップ１１３）、その後ＯＮＵ２０をリンクから切断する（ステップ１１４）。
【００４７】
以上の動作により、ＯＮＵ２０がダイイングギャスプの要因により動作できなくなる前に、緊急通報装置４５からのデータをネットワーク５１に送出することが可能となる。
【００４８】
次に、上記の本実施形態の内容をタイムチャート図４を使用して説明する。
【００４９】
本実施の形態では、ＯＮＵにダイイングギャスプの要因が発生した後に緊急性の高いデータ送信要求が発生したときは、当該ＯＮＵからＯＬＴに対してダイイングギャスプを送出した後に送信帯域要求が送出される。送信帯域要求を受信したＯＬＴは最も早い(最優先の)送信帯域を当該ＯＮＵに割り当てる。そして、当該ＯＮＵは、この最も早い送信帯域を使用して緊急性の高い高優先度のデータをＯＬＴに送信する。
【００５０】
上述した本実施の形態では、ＯＮＵ２０からＯＬＴ３０にダイイングギャスプが送信された後に送信帯域要求が送信された場合に、ＯＬＴ３０は、最も早い送信帯域をＯＮＵ２０に割り当てるので、ＯＮＵ２０は、ダイイングギャスプ送信後であってもデータを送信することが可能となる。
【００５１】
また、このとき送信するデータは緊急性の高い高優先度のデータとしているので、ダイイングギャスプ送信後であっても、ＯＮＵ２０はＯＬＴ３０に対して緊急性の高い高優先度のデータを送信することが可能となる。
【００５２】
次に、本発明の第２の実施形態を図面を用いて説明する。
【００５３】
第２の実施形態の構成は、第１の実施形態の構成（図１）と同じであるので説明は省略する。
【００５４】
本発明の第２の実施形態の動作について図１、図５を用いて詳細に説明する。
【００５５】
図５は動作の概要を示すフローチャートである。
【００５６】
以下では、ＯＮＵ２０がダイイングギャスプを送信したときに、緊急通報装置４５からの緊急性の高い高優先度のデータがＯＬＴ３０へ優先的に送信される動作について説明する。
【００５７】
前提として、優先条件設定部５の優先度分類条件では、通信端末４０からのデータを低い優先度と、緊急通報装置４５からのデータを高い優先度と設定されているものとする。また、ダイイングギャスプの発生要因は、ＯＮＵ２０の電源電圧低下であるものとする。
【００５８】
以下に第２の実施の形態の動作例を示す。
【００５９】
停電などによるＯＮＵ２０の電源電圧降下をダイイングギャスプ要因検知回路１１が検知する（ステップ２０１）と、ＯＮＵ２０の制御部１は、高優先度キュー７に緊急通報装置４５からのデータが存在するかを確認する（ステップ２０２）。
【００６０】
高優先度キュー７にデータが無かった場合は（ステップ２０２でＮｏ）、ＯＮＵ２０の制御部１は、ダイイングギャスプをＯＬＴ３０に送信し（ステップ２０４）、ＯＮＵ２０はそのまま動作を停止する（ステップ２０８）。
【００６１】
高優先度キュー７に緊急通報装置４５からのデータが存在した場合（ステップ２０２でＹｅｓ）、制御部1は、ＯＬＴ３０に対しダイイングギャスプおよびデータ送信のための上り方向の帯域割り当て要求を送信する（ステップ２０３）。
【００６２】
また、制御部１は、高優先度キュー７にあるデータを優先的に送出するために送信バッファ９にあるデータを廃棄し、高優先度キュー７のデータを送信バッファ９に格納する（ステップ２０５）。
【００６３】
ＯＬＴ３０のＯＬＴ受信解析部３５は、受信部３４で受けたＯＮＵ２０からのデータを解析する。ＯＬＴ受信解析部３５は、ＯＮＵ２０からのダイイングギャスプを検出すると（ステップ２０９でＹｅｓ）、ＯＮＵ２０との接続を保持したままＯＮＵ２０から帯域割り当てが要求されるか否かを解析する（ステップ２１０）。
【００６４】
ＯＮＵ２０から帯域割り当て要求がなかった場合（ステップ２１０でＮｏ）、ＯＬＴ制御部３１は、ＯＮＵ２０をリンクから切断する（ステップ２１４）。
【００６５】
ＯＮＵ２０から帯域割り当て要求があった場合（ステップ２１０でＹｅｓ）、ＯＬＴ制御部３１は、ＯＬＴ送信帯域割り当てテーブル３６に記憶されている上り方向に割り当てられた帯域の中で最も早い時間にＯＮＵ２０からのデータ送出が可能となるように帯域(時間)の割り当てを組み換える。
【００６６】
その組み換えられた帯域割り当て情報をＯＬＴ送信制御部３７を介してＯＮＵ２０へ通知する（ステップ２１１）。
【００６７】
ＯＮＵ２０の制御部１は、ＯＬＴ３０から送信帯域が割り当てられると（ステップ２０６でＹｅｓ）、指定された帯域(時間)に送信バッファ９に格納していた緊急通報装置４５からのデータを送信する（ステップ２０７）。
【００６８】
ＯＬＴ３０は、ＯＮＵ２０よりデータを受信すると（ステップ２１２でＹｅｓ）、ＯＬＴネットワーク接続部３３を介してネットワーク５１にデータを送信する（ステップ２１３）。
【００６９】
以上の動作により、ＯＮＵ２０がダイイングギャスプの要因により動作不能となる前に、緊急通報装置４５からのデータをネットワーク５１に送出することが可能となる。
【００７０】
また、第２の実施形態では、ダイイングギャスプと送信帯域要求を同時に送信するので、ＯＮＵ２０からＯＬＴ３０に対して送信帯域要求が送られてくる場合には、ＯＬＴ３０においてはダイイングギャスプの受信とほぼ同時に送信帯域要求を受信することとなる。このため、送信帯域要求があるか否かの判断をダイイングギャスプの受信とほぼ同時に行うことが可能となるので、ダイイングギャスプ受信時のＯＬＴ３０の処理の高速化が図れる。
【００７１】
以上の第１と第２の実施形態では、高優先度のデータを高優先度キューに格納していたが、高優先度キューのような専用キューを用いなくても、送信元や送信先ＩＰアドレスやペイロードに格納されているデータに含まれる識別情報等を参照することによって、データの優先度を判断してもよい。
【００７２】
また、第１と第２の実施形態では、送信予定の送信バッファ９に格納されているデータを廃棄した後に、高優先キュー７のデータを送信バッファ９に格納している。しかし、送信バッファ９内のデータについても優先度を確認して、高優先度のデータがある場合は廃棄せずに送信するようにすることも可能である。
【００７３】
また、以上の説明では、本発明がハードウェア的に実現されることを前提として説明してきた。しかし、本発明の各機能は、ＣＰＵに読み込ませたプログラムによっても実現可能である。
【図面の簡単な説明】
【００７４】
【図１】第１および第２の実施形態における通信システムのブロック図
【図２】第１の実施の形態の動作を示すフローチャート
【図３】第１の実施形態のＯＬＴ送信帯域割り当てテーブルの変更状況を示す概念図
【図４】第１の実施の形態の動作を示すタイムチャート
【図５】第２の実施の形態の動作を示すフローチャート
【図６】背景技術の動作を示すタイムチャート
【符号の説明】
【００７５】
１    制御部
２    光接続部
３    ＬＡＮ接続部
４    送信優先度分類部
５    優先条件設定部
６    低優先度キュー
７    高優先度キュー
８    送信割り当て制御部
９    送信バッファ
１０    送信部
１１    ダイイングギャスプ要因検知回路
１２    受信部
１３    受信解析部
２０    ＯＮＵ
２１    ＯＮＵ
２２    ＯＮＵ
３０    ＯＬＴ
３１    ＯＬＴ制御部
３２    ＯＬＴ光接続部
３３    ＯＬＴネットワーク接続部
３４    ＯＬＴ受信部
３５    ＯＬＴ受信解析部
３６    ＯＬＴ送信帯域割り当てテーブル
３７    ＯＬＴ送信制御部
３８    ＯＬＴ送信部
４０    通信端末
４１    カプラ
４５    緊急通報装置
５０    光回線
５１    ネットワーク
５２    光回線
【図１】
2008283536.tif 000003
【図２】
2008283536.tif 000004
【図３】
2008283536.tif 000005
【図４】
2008283536.tif 000006
【図５】
2008283536.tif 000007
【図６】
2008283536.tif 000008